(57)【要約】本発明は、主として折り畳み可能かつ／または使い捨て可能な旅行鞄を提供する。好ましい面においては、本発明は、旅行鞄に取り外し可能なように構成された車輪を有する、段ボール製の折り畳み可能かつ／または使い捨て可能な旅行鞄を提供する。これによって旅行鞄は扱い易く、保管し易くなり、積み重ね可能になる。上記折り畳み可能かつ／または使い捨て可能な旅行鞄は、２つのメインパネル、すなわち上部メインパネルおよび下部メインパネルと、少なくとも１つの打ち抜かれた平坦な折り目付きのブランク材を折り畳むことによって形成される上記旅行鞄の複数のサイドパネルと、延長パネルと、パネルの穴と位置合わせされた車輪を有するシートと、を備える。
2010522054.tif 000002
【特許請求の範囲】
【請求項１】
折り畳み可能かつ／または使い捨て可能な旅行鞄であって、
折り目付きの少なくとも１つの平坦なブランク材を折り畳むことによって形成される前記旅行鞄の、２つのメインパネルすなわち上部メインパネルおよび下部メインパネルと、複数のサイドパネルと、
前記平坦なブランク材の前記パネルのうちの少なくとも１つに設けられた複数の穴と、
少なくとも１つの延長パネルと、
前記パネルの前記穴と位置合わせされた車輪を有するシートと、を備え
前記平坦なブランク材を折り畳んで車輪付きの旅行鞄を形成するときに、前記穴を有するパネルと前記延長パネルとの間に前記シートが取り外し可能に適合される、折り畳み可能かつ／または使い捨て可能な旅行鞄。
【請求項２】
前記延長パネルが、前記ブランク材の前記サイドパネルの１つから延び、好ましくは内向きに折り畳み可能である、請求項１に記載の折り畳み可能かつ／または使い捨て可能な旅行鞄。
【請求項３】
前記穴が、前記シートの車輪を適合させるために、前記サイドパネルのうちの１つに設けられる、請求項１に記載の折り畳み可能かつ／または使い捨て可能な旅行鞄。
【請求項４】
前記穴が、前記延長パネルを有する前記サイドパネルに設けられる、請求項１〜３のいずれか一項に記載の折り畳み可能かつ／または使い捨て可能な旅行鞄。
【請求項５】
前記穴が、前記シートの車輪を適合させるために、前記下部メインパネルに設けられる、請求項１に記載の折り畳み可能かつ／または使い捨て可能な旅行鞄。
【請求項６】
前記旅行鞄が、少なくとも３つのサイドパネルを有する、請求項１に記載の折り畳み可能かつ／または使い捨て可能な旅行鞄。
【請求項７】
前記旅行鞄が、好ましくは４つのサイドパネルを有する、請求項１に記載の折り畳み可能かつ／または使い捨て可能な旅行鞄。
【請求項８】
前記旅行鞄が単一の平坦な折り目付きのブランク材から形成され、前記ブランク材が、
タブを有する下部サイドパネルと、
前記下部サイドパネルの長手方向の縁部から対向する方向に延びる下部メインパネルおよび上部メインパネルと、
前記上部メインパネルから延びる直角に折り畳み可能なパネルの対と、
前記下部メインパネルから延びる対向するサイドパネルの対と、
前記対向するサイドパネルのそれぞれから延びる延長パネルと、
前記下部パネルの長手方向の縁部から延びる、タブおよびハンドルを有する上部サイドパネルと、
前記上部メインパネルの前記上側縁部から延びるロックパネルと、を備え、
前記ロックパネルが、前記折り畳み可能かつ／または使い捨て可能な旅行鞄をロックするために直角に折り畳み可能なウィングと、前記上部サイドパネル上にロック手段を重なり合わせるようにハンドルと位置合わせされたスロットと、を有し、
前記延長パネルを下向きに折り畳むと同時に前記対向するサイドパネルを上向きに折り曲げることによって、前記対向するサイドパネルと前記延長パネルとの間に前記パネルのタブが適合され、折り畳み可能かつ／または使い捨て可能な旅行鞄を形成する、請求項１に記載の折り畳み可能かつ／または使い捨て可能な旅行鞄。
【請求項９】
前記旅行鞄が、前記旅行鞄の上部および下部を形成する２つの裁断された折り目付きのブランク材で形成され、
各平坦な折り目付きのブランク材が、メインパネルと、複数のサイドパネルと、を備え、
前記サイドパネルの対向する対の一方が延長パネルを有し、前記サイドパネルの対向する対のもう一方が直角に折り畳み可能なタブを有し、前記旅行鞄の上部または下部を形成するときに前記タブが折り畳まれることによって前記サイドパネルと前記延長パネルの間に適合される、請求項１に記載の折り畳み可能かつ／または使い捨て可能な旅行鞄。
【請求項１０】
前記車輪を有するシートが、前記旅行鞄の前記下部の前記メインパネルに適合される、請求項９に記載の折り畳み可能かつ／または使い捨て可能な旅行鞄。
【請求項１１】
前記車輪を有するシートが、前記旅行鞄の前記上部の前記サイドパネルの１つに適合される、請求項９に記載の折り畳み可能かつ／または使い捨て可能な旅行鞄。
【請求項１２】
前記延長パネルが逆方向に曲げられるフラップを有し、前記サイドパネルが前記メインパネルに対する垂直位置に前記フラップにより保持される、請求項１または２に記載の折り畳み可能かつ／または使い捨て可能な旅行鞄。
【請求項１３】
前記シートが、少なくとも２つのキャスター車輪を備える、請求項１に記載の折り畳み可能かつ／または使い捨て可能な旅行鞄。
【請求項１４】
前記シートが、４つのキャスター車輪を備える、請求項１に記載の折り畳み可能かつ／または使い捨て可能な旅行鞄。
【請求項１５】
前記シートが、木材、プラスチック、紙、金属等の材料で形成される、請求項１に記載の折り畳み可能かつ／または使い捨て可能な旅行鞄。
【請求項１６】
前記ブランク材が、１つまたは複数の層／シートを備える段ボールで形成される、請求項１に記載の折り畳み可能かつ／または使い捨て可能な旅行鞄。
【請求項１７】
前記段ボールが、印刷用紙、普通紙、カラー紙、コート紙、積層紙、クラフト紙、白色紙、二層紙、三層紙、箔積層紙、フィルム積層紙、処理紙等が含まれる紙など、使い捨て可能かつ／または折り畳み可能な材料で形成される、請求項１６に記載の折り畳み可能かつ／または使い捨て可能な旅行鞄。
【請求項１８】
補強ベルト、コーナー、ハンドル、車輪、ロック、カート、引き手、脚、スタンド、パッド、リベット、バックル、クランプ、バンパー、詰め物等の様々な周知の付属品が、前記旅行鞄の適当な場所に固定式にまたは取り外し可能に適用可能である、請求項１〜１７のいずれか一項に記載の折り畳み可能かつ／または使い捨て可能な旅行鞄。
【請求項１９】
折り畳み可能かつ／または使い捨て可能な旅行鞄であって、
折り目付きの少なくとも１つの平坦なブランク材を折り畳むことによって形成される前記旅行鞄の、２つのメインパネルすなわち上部メインパネルおよび下部メインパネルと、複数のサイドパネルと、
前記サイドパネルの一方から延びる少なくとも１つの延長パネルと、を備え、
前記平坦なブランク材の前記パネルのうちの少なくとも１つに複数の穴または穴を形成するためのミシン目が設けられることにより、前記ブランク材を折り畳んで車輪付きの旅行鞄を形成するときに車輪を有するシートを前記延長パネルと前記穴を有するパネルの間に取り外し可能に適合する、折り畳み可能かつ／または使い捨て可能な旅行鞄。
【請求項２０】
前記シートの車輪を適合させるための前記穴またはミシン目が前記サイドパネルの一方に設けられ、好ましくは前記穴またはミシン目が前記延長パネルを有する前記サイドパネルに設けられる、請求項１９に記載の折り畳み可能かつ／または使い捨て可能な旅行鞄。
【請求項２１】
前記シートの車輪を適合させるための前記穴が、前記下部メインパネルに設けられる、請求項１９に記載の折り畳み可能かつ／または使い捨て可能な旅行鞄。
【請求項２２】
図面を参照して上記でほぼ説明した折り畳み可能かつ／または使い捨て可能な旅行鞄。
【発明の詳細な説明】
【技術分野】
【０００１】
本発明は、旅行鞄に関し、詳細には、取り扱いが容易な、折り畳み可能かつ／または使い捨て可能な旅行鞄（luggage）に関する。
【背景技術】
【０００２】
旅行鞄は、物を運ぶ標準的な手段である。旅行鞄の運搬能力は、旅行鞄の容量と強度によって決まる。現在利用可能な旅行用スーツケース／旅行鞄は一般に、プラスチック成形によって作られるか、または金属や布でできている。
【０００３】
今日、ビジネス、研修旅行、観光などを目的とした旅行が増加している。旅行者は、場合によっては、帰路に手荷物が増えて高価な旅行鞄やスーツケースを無駄に購入しなければならなくなったり、空になった旅行鞄を持ち帰らなければならなかったりする。誰であっても、空になった旅行鞄を抱えて旅の半分ないし４分の３を移動したくはなく、また家での保管が厄介な高価な旅行鞄を購入したくないのが当然である。したがってその解決策を提供する必要がある。
【０００４】
金属またはプラスチックでできた旅行鞄は折り畳み可能ではないので、家の空き場所を最大限使用してしまうため保管がさらに厄介になる。さらに、成形された硬いプラスチック旅行鞄は丈夫に見えるが、時間と共に脆くなっていく。さらに、コーナーと蝶番の位置合わせが甘くなりがちであるために保管が難しい。
【０００５】
ソフトタイプの旅行鞄としては、布でできた旅行鞄が知られている。ただし、一般にソフトタイプの旅行鞄は、硬いフレームに巻き付けて組み立てられる。したがって、重量物を運搬するには強度が十分でなく、圧縮力に耐えることができない結果、内容物が損傷することがあり、積み重ねることもできない。
【０００６】
特許文献１に、上記の問題を解決する使い捨て可能なスーツケースが特許請求されている。このスーツケースは、段ボールなどの単一のシート材料でできており、しっかりロックされた箱構造になるように折り目が付けられていると好ましい。ただし、この特許請求されている使い捨て可能なスーツケースはハンドバッグであり、荷物を最大限度まで収容できない。さらに、積み重ねることができないので、取り扱いも厄介である。
【先行技術文献】
【特許文献】
【０００７】
【特許文献１】米国特許第４，３１８，５０５号
【発明の概要】
【発明が解決しようとする課題】
【０００８】
本発明の目的は、取り扱い、保管、積み重ねが容易な、折り畳み可能かつ／または使い捨て可能な旅行鞄を提供することである。
【０００９】
本発明の他の目的は、背景技術の短所を克服することである。
【課題を解決するための手段】
【００１０】
本発明は、取り外し可能なように構成された車輪を有する、折り畳み可能かつ／または使い捨て可能な旅行鞄を提供する。
【００１１】
一態様においては、本発明は折り畳み可能かつ／または使い捨て可能な旅行鞄であって、打ち抜かれた折り目付きの少なくとも１つの平坦なブランク材を折り畳むことによって形成される上記旅行鞄の２つのメインパネルすなわち上部メインパネルおよび下部メインパネルと、複数のサイドパネルと、上記平坦なブランク材の上記パネルのうちの少なくとも１つに設けられた複数の穴と、少なくとも１つの延長パネルと、上記パネルの上記穴と位置合わせされた車輪を有するシートと、を備え、上記ブランク材を折り畳んで車輪付きの旅行鞄を形成するときに、上記穴を有するパネルと上記延長パネルとの間に上記シートが取り外し可能に適合される（adapted）、折り畳み可能かつ／または使い捨て可能な旅行鞄を提供する。
【００１２】
本発明の一実施形態によると、上記延長パネルは、上記サイドパネルの１つから延び、好ましくは内向きに折り畳み可能である。
【００１３】
本発明によると、少なくとも２つの車輪が上記シート上に適合される。４つの車輪が上記シート上に適合されると有利である。
【００１４】
本発明によると、上記シートを適合させるための上記穴は、上記サイドパネルのうちの１つに設けられる。上記穴は、延長パネルを有する上記サイドパネルに設けられることが好ましい。あるいは、上記穴を上記下部メインパネルに設けることもできる。
【００１５】
本発明の一実施形態によると、上記延長パネルは、逆方向に曲げられるフラップを有する。上記フラップにより、上記メインパネルに対する垂直位置に前記サイドパネルを保持することができる。
【００１６】
本発明によると、上記シートは、木材、プラスチック、紙、金属等の材料で形成される。
【００１７】
本発明によると、上記旅行鞄は、少なくとも３つのサイドパネルを有し、好ましくは４つのサイドパネルを有する。
【００１８】
本発明によると、上記ブランク材は、１つまたは複数のシート／層を備える段ボールで形成される。上記段ボールは紙などの使い捨て可能かつ／または折り畳み可能な材料で形成され、印刷用紙、普通紙、カラー紙、コート紙、積層紙、クラフト紙、白色紙、二層紙、三層紙、防水紙、箔積層紙、フィルム積層紙、処理紙等が含まれる様々な組合せの紙を含む。
【００１９】
他の態様では、本発明は、折り畳み可能かつ／または使い捨て可能な旅行鞄であって、少なくとも１つの打ち抜かれた折り目付きの平坦なブランク材を折り畳むことによって形成される上記旅行鞄の、２つのメインパネルすなわち上部メインパネルおよび下部メインパネルと、複数のサイドパネルと、上記サイドパネルの一方から延びる少なくとも１つの延長パネルと、を備え、上記平坦なブランク材の上記パネルのうちの少なくとも１つに複数の穴または穴を形成するためのミシン目が設けられることにより、上記ブランク材を折り畳んで車輪付きの旅行鞄を形成するときに、車輪を有するシートを延長パネルと上記穴を有するパネルの間に取り外し可能に適合する、折り畳み可能かつ／または使い捨て可能な旅行鞄を提供する。
【００２０】
本発明の一実施形態によると、上記シートの車輪を適合させるための上記穴または穴を形成するためのミシン目は、上記サイドパネルの一方に設けられる。上記穴またはミシン目が、延長パネルを有する上記サイドパネルに設けられると好ましい。
【００２１】
本発明の他の実施形態によると、上記シートの車輪を適合させるための上記穴は、上記下部メインパネルに設けられる。
【図面の簡単な説明】
【００２２】
【図１】本発明の一実施形態による単一のブランク材でできた折り畳み可能かつ／または使い捨て可能な旅行鞄の打ち抜かれた平坦なブランク材の図である。
【図２】図１に示される平坦なブランク材でできた折り畳み可能かつ／または使い捨て可能な旅行鞄を形成するための各折り畳みステップを示す図である。  図２Ａは、図１に示されるブランク材の図である。  図２Ｂ、図２Ｃ、および図２Ｄは、本発明による準備ステップの図である。  図２Ｅ、図２Ｆ、および図２Ｇは、折り畳み可能かつ／または使い捨て可能な旅行鞄を閉じる操作の図である。  図２Ｈは、折り畳み可能かつ／または使い捨て可能な旅行鞄の閉じた状態の図である。
【図３】本発明の他の実施形態による旅行鞄の上部および下部を形成するための、打ち抜かれた２つの平坦なブランク材を示す図である。
【図４】図３に示されたブランク材から折り畳み可能かつ／または使い捨て可能な旅行鞄を形成するための各折り畳みステップを示す図である。  図４Ａおよび図４Ａ’は、図３に示される平坦なブランク材の図である。  図４Ｂおよび図４Ｂ’と、図４Ｃおよび図４Ｃ’は、本発明による上部および下部の準備ステップを示す図である。  図４Ｄおよび図４Ｄ’は、本発明による折り畳み可能かつ／または使い捨て可能な旅行鞄の上部および下部を示す図である。  図４Ｅは、折り畳み可能かつ／または使い捨て可能な旅行鞄を形成するために、下部に被さるように適合される上部の図である。  図４Ｆは、本発明による折り畳み可能かつ／または使い捨て可能な旅行鞄の図である。
【図５】様々な付属品が適合された、本発明折り畳み可能かつ／または使い捨て可能な旅行鞄の図である。
【発明を実施するための形態】
【００２３】
次に、本発明を例示するために、その好ましい実施形態について添付の図面を参照して説明する（これにより本発明の範囲が限定されることはなく、例示目的のためだけのものである）。
【００２４】
本発明は、主として折り畳み可能かつ／または使い捨て可能な旅行鞄を提供する。好ましい面から言うと、本発明は、旅行鞄に取り外し可能なように構成された車輪を有する、段ボール製の折り畳み可能かつ／または使い捨て可能な旅行鞄を提供する。これによって旅行鞄は扱い易く、保管し易くなり、積み重ね可能になる。
【００２５】
上記折り畳み可能かつ／または使い捨て可能な旅行鞄は、通常、２つのメインパネルすなわち上部メインパネルおよび下部メインパネルと、少なくとも１つの打ち抜かれた平坦な折り目付きブランク材で形成される上記旅行鞄の複数のサイドパネルと、延長パネルと、パネルの穴と位置合わせされる車輪を有するシートと、を備える。
【００２６】
上記延長パネルは、内向きに曲げられるサイドパネルの一方から延びることが好ましい。
【００２７】
穴またはミシン目は、通常、下部サイドパネル上に設けられる。あるいは、外向きに曲げられる穴付きの延長パネルが、シートを穴によって合わせるために設けられる。
【００２８】
本発明によると、平坦なブランク材を折り畳んで車輪付きの折り畳み可能かつ／または使い捨て可能な旅行鞄を形成するときに、キャスターの車輪が穴と位置合わせされたシートが、穴を有するパネルと延長パネルの間に挟まれる。したがって、本発明の旅行鞄は、運んだり、取り扱いしたりするのが容易である。この挟むプロセスによって、延長パネルと穴付きパネルの間にシートが密接して保持される。
【００２９】
本発明の一実施形態によると、延長パネルは、サイドパネルをメインパネルに対して垂直位置に保持することができるように逆方向に曲げられるフラップを有する。
【００３０】
本発明によると、上記旅行鞄は、上部メインパネルおよび下部メインパネルに加えて、少なくとも３つのサイドパネル、好ましくは４つのサイドパネルを備える。
【００３１】
本発明によると、車輪を有するシートは、木材、プラスチック、紙、金属などの材料で形成される。
【００３２】
折り畳み可能かつ／または使い捨て可能な旅行鞄の打ち抜かれたブランク材は、印刷用紙、普通紙、カラー紙、コート紙、積層紙、クラフト紙、白色紙、二層紙、三層紙、防水紙、箔積層紙、フィルム積層紙、処理紙などが含まれる紙などの使い捨て可能かつ／または折り畳み可能な材料で形成された、１つまたは複数のシート／層からなる段ボール製であることが好ましい。段ボールの圧縮強度が高いことはよく知られており、したがって本発明の旅行鞄は高い圧縮強度を有する。
【００３３】
本発明によると、折り畳み可能かつ／または使い捨て可能な旅行鞄は、裁断された折り目付きの単一のブランク材で形成することができる。あるいは、上記裁断された折り目付きのブランク材でできた２つの部分、すなわち上部および下部で形成することもでき、車輪付きの旅行鞄を形成するには旅行鞄の上部を下部に被さるように嵌める。
【００３４】
図１および図２Ｂに示される裁断された折り目付きの単一のブランク材でできた矩形の折り畳み可能かつ／または使い捨て可能な旅行鞄（２００）は、図２Ｈに示されている。
【００３５】
図１および図２Ｂに示されているように、単一のブランク材（１００）が裁断され、折り目が付けられて、旅行鞄（２００）の上部メインパネル、下部メインパネル、および４つのサイドパネルを、折り畳み可能な旅行鞄を形成するための各延長部とともに形成する。旅行鞄の下部サイドパネル（２０）は、細幅の縁部（図示せず）から延びるタブ（２１）を有する。旅行鞄の上部メインパネル（１１）および下部メインパネル（２２）は、下部サイドパネル（２０）の長手方向縁部（図示せず）から対向する方向に延びる。ここで、上部メインパネル（１１）は、上部メインパネルから延びる、直角に折り畳み可能なパネル（１２）の対を有する。下部メインパネル（２２）は、対向するサイドパネル（２３、２４）を有し、これらから延長パネル（２５）が延びる。各延長パネル（２５）は、本発明によると、逆方向に曲げられるフラップ（２６）を有する。図１および図２Ｂに示されているように、サイドパネルの１つ（２３）は、シート（３）上に合わせられたキャスターの車輪（３１）（図２Ｃに示す）と対応するコーナー（図示せず）の近傍に、４つの穴（１０）を有する。旅行鞄の上部サイドパネル（２７）は、下部パネル（２２）の長手方向の縁部から延びる。上部サイドパネル（２７）は、上向きに折り曲げられるタブ（２８）と、ハンドル（５１）を有する。上部メインパネル（１１）の上側縁部からはロックパネル（１３）が延びる。このロックパネル（１３）は、折り畳んだときに旅行鞄をロックするための、直角に折り畳み可能なウィング（１４）を有する。ロックパネル（１３）には、サイドパネル（２７）のハンドル（５１）と位置合わせされたスロット（１５）が設けられ、このスロット（１５）により、ロックパネル（１３）を上部サイドパネル（２７）に重ねることが可能となる。
【００３６】
代替的には、２つ以上に裁断された平坦な折り目付きのブランク材を固定することによって、本発明により旅行鞄を形成するための単一の平坦なブランク材を形成してもよい。図２Ａに、一実施形態による２つのブランク材（１００Ａ、１００Ｂ）が示されている。このブランク材の一方（１００Ａ）は、上部メインパネルと、タブや、ウィング付きのロックパネルなどのその他の延長部と、を含むベース（２０Ａ）を有する。もう一方のブランク材（１００Ｂ）は、下部メインパネルと、延長パネル付きのサイドパネルや、タブ付きの上部サイドパネルなどの延長部と、を含むベース（２０Ｂ）を有する。ベース（２０Ａ）はベース（２０Ｂ）の上に下部サイドパネル（２０）で固定され、旅行鞄の単一のブランク材を形成する。ベース同士を固定することによって、旅行鞄の下部にさらに頑丈さが加わる。本発明の旅行鞄の耐久性を向上させるために、かかる変形例を用いることができる。
【００３７】
図２Ｃ〜２Ｈは、単一の平坦なブランク材（１００）から折り畳むことによって、折り畳み可能かつ／または使い捨て可能な旅行鞄（２００）を形成するための構造体の組み立てを示す。単一の平坦なブランク材（１００）から本発明による旅行鞄を形成するには、上部メインパネル（１１）を含んだ下部サイドパネル（２０）および上部サイドパネル（２７）を折り目線で上向きに折り曲げ、次いで、図１Ｃに示されている下部サイドパネル（２０）および上部サイドパネル（２７）のタブ（２１、２８）を内向きに折り曲げる。下部パネルおよび上部パネル（２７）のタブ（２１、２８）を折り目線で内向きに折り曲げたら、サイドパネル（２３、２４）を上向きに折り曲げ、次いで延長パネル（２５）を内向きに折り曲げる。それと同時に、延長パネル（２５）の外側縁部（図示せず）に設けられたフラップ（２６）を、図２Ｄに示されているように逆方向に折り曲げることにより、折り畳み可能かつ／または使い捨て可能な旅行鞄（２００）を形成する。フラップ（２６）は、サイドパネル（２３、２４）を垂直位置に保持する。本発明によると、サイドパネル（２３）に設けられた穴（１０）に車輪（３１）を通すことによって、車輪（３１）付きのシート（３）を延長パネル（２５）と下部サイドパネル（２３）の間に挿入する。シート（３）は、下部サイドパネル（２３）を上向きに折り曲げる前に、または延長パネル（２５）を内向きに折り曲げる前に挿入するものである。図２Ｅに、物を詰めるために開いた状態の本発明の旅行鞄が示されている。この折り畳み可能かつ／または使い捨て可能な旅行鞄を閉じるには、使用者が、上部メインパネル（１１）のタブ（１２）を上向きに動かし、上部メインパネル（１１）を下向き動かしてから、旅行鞄をロックするために、ロックパネルをロックパネル（１２）のウィング（１４）と共に下向きに折り曲げて、図２Ｆに示されているように内向きに折り曲げ、図２Ｇに示されているようにサイドパネル（２３、２４）と延長パネル（２５）の間に形成されたすき間（図示せず）にウィング（１４）を挿入して、図２Ｈに示されているように折り畳み可能かつ／または使い捨て可能な旅行鞄（２００）を閉じる必要がある。
【００３８】
本発明によると、代替的には、シートを車輪と合わせるために、下部メインパネルまたは下部サイドパネルに穴を設けることができる。下部メインパネルの場合には、一方または両方のサイドパネルが、逆方向に曲げられるもう１つ延長パネルをフラップの手前に備えることにより、車輪付きのシートを着脱可能式に合わせることができる。下部サイドパネルの場合には、一方または両方の延長パネルが、タブの形態の延長パネルを備えることにより、車輪付きのシートを下部サイドパネル上で合わせることができる。かかる種々の配置によって、単一のブランク材から、本発明による折り畳み可能かつ／または使い捨て可能な旅行鞄を形成することができる。
【００３９】
図３および図４の４Ａを参照すると、本発明による折り畳み可能かつ／または使い捨て可能な旅行鞄（２００）の２つの部分、すなわち上部および下部を形成するための、２つのブランク材（１００Ａ，１００Ｂ）が示されている。各平坦なブランク材（１００Ａ，１００Ｂ）は、メインパネル（１３，３０）と４つのサイドパネル（１１、１４，２１、２９、２４、２７）と、を備える。サイドパネルの対向する対の一方（１４、２４，２７）は延長パネル（１５、２５）を有し、サイドパネルのもう一方の対向する対（１１と、２１、２９）は直角に折り畳み可能なタブ（１２、２２）を有する。本発明によると、車輪付きの折り畳み可能かつ／または使い捨て可能な旅行鞄を形成するために、これらの２つのブランク材のパネルのうちの一方が、穴、すなわち車輪を有するシートを合わせるための穴を形成するためにミシン目を有する。旅行鞄の上部を形成する平坦なブランク材について図３および４Ａ’に示されているように、サイドパネル（２４）は、シートの車輪を合わせるためにコーナーの近傍に穴（１０）を有する。あるいは、旅行鞄の下部メインパネルに穴を設けて、下部サイドパネルの一方または両方に延長パネルをもう１つ設けてもよい。図３Ａを参照すると、サイドパネル（２４）の反対側にあるサイドパネル（２７）は、ハンドル（６１）を有する。上部の長手方向のサイドパネル（２１、２９）のうちの一方もまた、ハンドル（５１）を有する。
【００４０】
図４の４Ａ、４Ａ’〜４Ｄ、４Ｄ’は、図３に示される２つの折り目付きブランク材（１００Ａ、１００Ｂ）から、折り畳み可能かつ／または使い捨て可能な旅行鞄の２つの部分、すなわち上部および下部を形成するための構造体の組み立てをそれぞれ示す。図４Ｂおよび４Ｂ’に示されるように、タブ（１２，２２、２８）を内向きに折り曲げると同時に、ブランク材（１００Ａ、１００Ｂ）の長手方向サイドパネル（１１、１４，２１、２７）がそれぞれ上向きに折り曲げられる。長手方向パネルのタブ（１２，２２、２８）が内向きに折り曲げられると、図４Ｃおよび４Ｃ’にそれぞれ示されるように横側のサイドパネル（１４，２４、２７）が上向きに折り曲げられ、次いで、延長パネル（１５，２５）が内向きに折り曲げられる。それと同時に、延長パネル（１５，２５）の外側縁部に設けられたフラップ（１６，２６）が逆方向に折り曲げられる。全てのサイドパネル（１１、１４，２１、２９、２４、２７）はフラップ（１６，２６）により垂直位置に保持され、図４Ｄおよび４Ｄ’にそれぞれ示されるように折り畳み可能かつ／または使い捨て可能な旅行鞄（２００）の上部（６０）および下部（５０）が形成される。本発明によると、車輪（３１）を有するシート（３）が、穴（１０）を有するサイドパネル（２４）と長手方向サイドパネル（２１、２９）のタブ（２２）の間に挿入される。図４Ｂ’に示されているようにサイドパネル（２４）を上向きに折り曲げる前に、サイドパネル（２４）に設けられた穴（１０）に車輪を通すことによってシート（３）が挿入される。図４Ｄおよび４Ｄ’に、物を詰めるために開いた状態の本発明の旅行鞄が示されている。物を詰めた後、上部（６０）を下部（５０）の上に合わせて、図４Ｆに示されているように旅行鞄を形成することができる。旅行鞄の上部および下部は、ベルト、ストラップなどのロック手段で固定することができる。
【００４１】
上記した単一のブランク材で形成される旅行鞄と、２つのブランク材で形成される旅行鞄について図２および４にそれぞれ示されている手順を逆に行うと、その旅行鞄を平坦なブランク材と車輪付きのシートとに、保管のために容易に分解することができる。したがって、本発明品は保管上の問題を解決し、しかも分解された形であるために扱いやすい。
【００４２】
本発明の旅行鞄は全般に段ボールで形成することができるので、大きな圧縮荷重に耐えることができ、飛行機での旅行等の旅行鞄をぞんざいに積み重ねるような旅行に使用することができる。
【００４３】
上記旅行鞄は、使い捨て可能で再利用可能な材料で形成することができるので、環境に優しいといえるだろう。
【００４４】
本発明による旅行鞄のブランク材は、サイドパネルのうちの１つに、シートの車輪を合わせるための穴を形成するミシン目を有するように形成できるので、シートを着脱可能、すなわち取り外し可能なように構成することができる。これにより、使用者がこの折り畳み可能かつ／または使い捨て可能な旅行鞄の再購入に関心を示した場合に、さらなるコストの低減が可能になる。
【００４５】
図５に示されているように、補強ベルト、コーナー、ハンドル、車輪、ロック、カート、引き手（pullers）、脚、スタンド、パッド、リベット、バックル、クランプ、バンパー、詰め物などの様々な周知の付属品を、折り畳み可能かつ／または使い捨て可能な旅行鞄の適当な場所に、固定式に、または取り外し可能に適用することができる。
【００４６】
本発明は、図１および図３に示されている平坦なブランク材である打抜き品、ならびに図２および図４の旅行鞄の形状に限定されない。ブランク材および形状を様々に構成または再構成して、三角形、立方体の、多角形などの形状の単一または複数のブランク材から、本発明の旅行鞄を形成することもできる。本発明の目的は、各図に示されているブランク材ではなく、車輪を取り外し可能なように適合させるための構成を有する折り畳み可能かつ／または使い捨て可能な旅行鞄を提供する点にある。各図は参照のためのものであり、本発明を限定するものではない。
【００４７】
本明細書で使用する「旅行鞄」という語は、旅行者の衣類またはその他の小物を収容するための旅行者のスーツケース、鞄またはその他の手段に限定されず、容器、箱、ケースなども含む。さらに、本発明の旅行鞄は、住宅、オフィスなどの棚、引出し、容器などとして使用することもできる。
【００４８】
本発明については特定の好ましい実施形態に対して説明したが、以下の特許請求の範囲で定義される本発明の範囲を逸脱することなく、様々な変更および改変を行うことができることは当技術分野の技術者には明らかだろう。
【図１】
2010522054.tif 000003
【図２】
2010522054.tif 000004
【図３】
2010522054.tif 000005
【図４】
2010522054.tif 000006
【図５】
2010522054.tif 000007
【国際調査報告】
2010522054.tif 000008
2010522054.tif 000009
2010522054.tif 000010
2010522054.tif 000011